(57)【要約】【課題】    階段に傷跡を残しにくい仮設手摺の取付構造を提供する。【解決手段】  本発明の仮設手摺の取付構造は、複数の支柱１１を有し、複数の踏面４ａを有する階段１に対して取り外し可能に設置される。支柱１１の下端面には、ボルト部材１２が外部に突出して設けられている。階段１には、ボルト部材１２と螺合可能な形状のボルト穴３ａを有し、上端が踏面４ａと面一あるいは踏面より下方に位置するように配設されたナット部材３が配設されている。ボルト部材１２がナット部材３に螺合された状態で、支柱１１が階段１の踏面４ａに立設されている。【選択図】  図１
2006097308.tif 000002
【特許請求の範囲】
【請求項１】
踏板と蹴込板とが交互に連続した構造を有する階段に対して撤去可能に設置され、手摺棒と、該手摺棒を支持する複数の支柱とを有する仮設手摺であって、
前記支柱の下端面には、取付部材が突出して設けられ、
前記階段の所定の位置には、前記取付部材と接続可能な受け部材が設けられ、該受け部材の上端は前記踏板の踏面と面一又は前記踏面より下方に位置するように配設され、
前記取付部材が前記受け部材に接続された状態で、前記支柱が前記階段の踏面に立設された構造を有することを特徴とする仮設手摺。
【請求項２】
前記取付部材はボルト部材であり、前記受け部材はナット部材であることを特徴とする請求項１記載の仮設手摺。
【請求項３】
前記手摺棒は、前記支柱に対して取り外し可能に連結されていることを特徴とする請求項１又は２記載の仮設手摺。
【請求項４】
踏板と蹴込板とが交互に連続した構造を有する階段に対して撤去可能に設置され、手摺棒と、該手摺棒を支持する複数の支柱とを有する仮設手摺の取付方法であって、
前記支柱を起立した状態で、前記支柱の下端面に突出して設けられた取付部材を、前記踏板の踏面と面一又は前記踏面より下方に上端が位置する受け部材に係合させる第一工程と、
前記支柱を回転して前記取付部材を前記受け部材に螺合させる第二工程と、
を具備する、仮設手摺の取付方法。
【請求項５】
前記第二工程の後に、前記手摺棒を前記支柱に取り付ける第三工程を更に備えたことを特徴とする請求項４記載の仮設手摺の取付方法。
【請求項６】
前記仮設手摺を前記階段から撤去する撤去工程と、該撤去工程の後に前記受け部材の上面を被覆部材で被覆する被覆工程とを含む第四工程を更に備えたことを特徴とする請求項５記載の仮設手摺の取付方法。
【請求項７】
前記被覆部材の表面に滑り止め加工が施されたことを特徴とする請求項６記載の仮設手摺の取付方法。
【発明の詳細な説明】
【技術分野】
【０００１】
本発明は、建設作業現場等に設置される階段用の仮設手摺及び該仮設手摺の取付方法に係り、特に、階段に傷跡を残しにくい仮設手摺及び該仮設手摺の取付方法に関する。
【背景技術】
【０００２】
建設作業現場等に設置される階段には、作業員の安全を確保するために、一時的に仮設手摺が設けられる。従来の仮設手摺は、例えば特許文献１に開示されるように、階段の側面に立設されたササラ桁にクランプ等の部材を用いて固定されている。図６に、特許文献１に開示された階段用仮設手摺の取付装置を示す。特許文献１の取付装置では、手摺４０の支柱４０ａの下端部にクランプ４１が設けられており、階段３０に立設された垂直側板、すなわちササラ桁３１をクランプ４１で狭持することにより、階段３０に支柱４０ａが取り付けられている。作業が終了した時には、手摺４０のクランプ４１を解除状態にして、手摺４０を階段３０から取り外すことができる。
【特許文献１】特開平０６−１０８６４８号公報
【発明の開示】
【発明が解決しようとする課題】
【０００３】
このような従来の仮設手摺は、ササラ桁をクランプで狭持して固定されている。この狭持部には、仮設手摺の加重が加わるため、手摺を取り外したときにササラ桁に締め跡が傷として残ることがあった。このため、仮設手摺を取り外し後に、締め跡を塗装するなどして修復する必要があった。
また、クランプがササラ桁に固着されているため、塗装の邪魔となり、手摺設置中はササラ桁の塗装が困難になるという不都合もあった。
更に、従来の仮設手摺は、支柱を起立した状態で保持したまま、ササラ桁をクランプで狭持する必要あるため、一人の作業員で設置作業を行うことが困難であった。
【０００４】
本発明は、上記事情に鑑みてなされたものであって、その目的は、階段に傷跡を残しにくく、且つ、簡単に取り付けることが可能な仮設手摺及び該仮設手摺の取付方法を提供することにある。
【課題を解決するための手段】
【０００５】
上記課題は、請求項１の仮設手摺によれば、踏板と蹴込板とが交互に連続した構造を有する階段に対して撤去可能に設置され、手摺棒と、該手摺棒を支持する複数の支柱とを有する仮設手摺であって、前記支柱の下端面には、取付部材が突出して設けられ、前記階段の所定の位置には、前記取付部材と接続可能な受け部材が設けられ、該受け部材の上端は前記踏板の踏面と面一又は前記踏面より下方に位置するように配設され、前記取付部材が前記受け部材に接続された状態で、前記支柱が前記階段の踏面に立設された構造を有することにより解決される。
【０００６】
このように、請求項１の仮設手摺によれば、支柱の下端面に取付部材が突出して設けられていると共に、階段の踏板の踏面と面一あるいは踏面の下方に上端が位置するように受け部材が配設されている。そして、支柱の取付部材と階段の受け部材とが接続した状態で、仮設手摺の支柱が踏面に立設して固定されている。支柱は階段の受け部材に支持された状態で踏面に立設された構造となっており、従来のように、支柱が階段に圧接した状態になっていない。このように、本発明によれば、階段に損傷を与えにくい仮設手摺を提供することが可能となる。
【０００７】
また、請求項２のように、請求項１の要件に加えて、前記取付部材はボルト部材であり、前記受け部材はナット部材であってもよい。
【０００８】
このように、請求項２の仮設手摺によれば、取付部材としてボルト部材を、受け部材としてナット部材を用いている。このため、支柱と階段とを両部材の螺合によって接続することが可能となる。従って、支柱に上方への力が加わっても階段から脱落しにくい取付構造を有する仮設手摺を提供することが可能となる。
【０００９】
また、請求項３のように、請求項１又は請求項２の要件に加えて、前記手摺棒は、前記支柱に対して取り外し可能に連結されるようにしてもよい。
【００１０】
このように、請求項３の仮設手摺によれば、支柱と手摺棒とが連結部材により取り外し可能に固定されている。このため、支柱を階段に設置する際に、手摺棒を外して固定することが可能となる。このように、支柱と手摺棒を別々に順次取り付けることができるので、作業員が一人であっても設置作業を行うことができる。従って、仮設手摺を階段に設置する際に要する労力を低減することが可能となる。
また、支柱と手摺棒とを別々に取り付けることができるため、支柱を階段に設置する際に手摺棒が邪魔にならない。従って、支柱を階段に容易に設置することが可能となる。
【００１１】
上記課題は、請求項４の仮設手摺の取付方法によれば、踏板と蹴込板とが交互に連続した構造を有する階段に対して撤去可能に設置され、手摺棒と、該手摺棒を支持する複数の支柱とを有する仮設手摺の取付方法であって、前記支柱を起立した状態で、前記支柱の下端面に突出して設けられた取付部材を、前記踏板の踏面と面一又は前記踏面より下方に上端が位置する受け部材に係合させる第一工程と、前記支柱を回転して前記取付部材を前記受け部材に螺合させる第二工程と、を具備することにより解決される。
【００１２】
このように、請求項４の仮設手摺の取付方法によれば、支柱を起立した状態で取付部材の端部を受け部材に係合させ、続いて支柱を回転させることにより取付部材を受け部材に接続させることで、支柱を階段の踏面に立設している。このため、支柱を回転させるという簡単な作業で支柱を階段に固定することが可能となり、作業員が一人であっても支柱の取り付けを行うことができる。従って、支柱の固定に要する労力を低減することが可能となる。
また、作業員が起立した状態で支柱を設置することができるため、従来のように、腰をかがめて取付作業を行う必要がない。従って、楽な姿勢で取付作業を行うことが可能となる。
【００１３】
また、請求項５のように、請求項４の要件に加えて、前記第二工程の後に、前記手摺棒を前記支柱に取り付ける第三工程を更に備えるようにしてもよい。
【００１４】
このように、請求項５の仮設手摺の取付方法によれば、支柱を階段に取り付けた後で手摺棒を支柱に取り付けるため、仮設手摺の設置時に手摺棒が邪魔にならない。従って、支柱を階段に容易に設置することが可能となる。
【００１５】
また、請求項６のように、請求項５の要件に加えて、前記仮設手摺を前記階段から撤去する撤去工程と、該撤去工程の後に前記受け部材の上面を被覆部材で被覆する被覆工程とを含む第四工程を更に備えたるようにしてもよい。
更にまた、請求項７のように、請求項６の要件に加えて、前記被覆部材の表面に滑り止め加工が施されるようにしてもよい。
【００１６】
このように、請求項６の仮設手摺の取付方法によれば、仮設手摺を取り外した後に残る受け部材の上面に被覆部材を添着して、外部に露見しないようにしている。このため、受け部材の上面をコンクリート等で閉塞するといった手間を省くことが可能となる。従って、仮設手摺を取り外した後の処理にかかる労力を低減することができると共に、良好な外観を有する階段を提供することが可能となる。
また、請求項７の仮設手摺の取付方法によれば、被覆部材の表面に滑り止め加工が施されている。このため、受け部材の上面を被覆すると同時に、滑り止め処理を階段に施すことが可能となる。
【発明の効果】
【００１７】
本発明の仮設手摺によれば、支柱の下端面に取付部材が突出して設けられていると共に、階段の踏板には上端が踏面と面一又は踏面の下方に位置するよう受け部材が配設されている。そして、支柱の取付部材と階段の受け部材とが接続した状態で、仮設手摺の支柱が踏面に立設して固定されている。このように、支柱は階段のナット部材に支持された状態で踏面に立設されており、従来のように支柱が階段を狭持した状態となっておらず、階段に損傷を与ることなく、仮設手摺の取付を行うことが可能となる。
また、本発明の仮設手摺の取付方法によれば、支柱を立設させた状態で、支柱の取付部材を階段側の受け部材に係合させて支柱を回転させるという簡単な作業で、支柱を階段に固定することが可能となり、作業員が一人であっても支柱の取り付けを行うことができる。従って、支柱の固定に要する労力を低減することが可能となる。
【発明を実施するための最良の形態】
【００１８】
以下に、本発明の実施形態について図面を参照して説明する。なお、以下に説明する部材、配置等は、本発明を限定するものではなく、本発明の趣旨に沿って各種改変することができることは勿論である。
【００１９】
図１乃至図４は本発明の一実施形態を示すものであり、図１は本発明の一実施形態に係る仮設手摺の取付構造を示した説明図、図２は図１の矢印Ａ領域の拡大断面図、図３は仮設手摺の取付構造を拡大して示した拡大断面図、図４は仮設手摺を取り外して後処理を行った後の状態を示した説明図である。
【００２０】
まず、本発明の一実施形態に係る仮設手摺の取付構造について、仮設手摺を階段に施工した後の状態を、図１及び図２を参照して説明する。図１に示すように、仮設手摺１０は階段１の踏面４ａに略垂直に立設されている。
【００２１】
図２に示されるように、本実施形態の仮設手摺は、支柱１１と、支柱１１の一端に設けられた取付部材としてのボルト部材１２と、支柱１１の他端に設けられた連結部材１３と、連結部材１３に取り付けられた手摺棒１４とを主要な構成要素として具備している。
【００２２】
支柱１１は、両端が開口した円筒形状のパイプ１５と、パイプ１５の下端に形成された開口を被覆する第一の蓋体１６と、パイプ１５の上端に形成された開口を被覆する第二の蓋体１７とを備えている。
第一の蓋体１６及び第二の蓋体１７は、共にパイプ１５の径と略同径の円板形状をしており、蓋体の中心にはボルトを挿通可能な挿通孔が夫々形成されている。第一の蓋体１６の一面の中心付近には、第一の蓋体１６の一面に対して略垂直となるように、第一のナット１８が溶接により固着されている。第一のナット１８としては高ナットが使用されており、長手方向の中心軸線と第一の蓋体１６の垂直方向の中心軸線とが略一致するように位置決めされて、第一のナット１８の端面と第一の蓋体１６とが固着されている。同様に、第二の蓋体１７にも第二のナット１９が溶接により固着されている。
【００２３】
パイプ１５の下端では、第一のナット１８がパイプ１５の内側に配置されるように、第一の蓋体１６の縁部とパイプ１５の下端面とが溶接によって固着されている。同様に、パイプ１５の上端では、第二のナット１９がパイプ１５の内側に配置されるように、第二の蓋体１７の縁部とパイプ１５の上端面とが溶接によって固着されている。
【００２４】
ボルト部材１２としては、棒状をした本体の両端部に、螺旋状にネジ溝が設けられた両切ボルトが使用されている。ボルト部材１２の一端は、支柱１１の第一のナット１８に螺着されて支柱１１に取り付けられている。ボルト部材１２の他端は、パイプ端面よりも外方へ延出している。
また、支柱１１の側面の中心付近には、貫通孔（不図示）が穿設されている。図１に示すように、貫通孔には後述するロープ２５を挿通することが可能である。
【００２５】
連結部材１３は、上部にブラケットを有し、下部にボルト２０が保持され、ボルトを介して支柱１１の第二のナット１９に螺着される接続部材２１と、円筒形状の把持部を有し、把持部の外周面の一部から外周方向に突設されたブラケットを有するクランプ部材２２と、両ブラケットを介して接続部材２１とクランプ部材２２とを回動自在に連結する連結具２３とを主要な構成要素として具備する。
【００２６】
接続部材２１は、二枚の板状金属部材を接合して形成された略板状の部材である。夫々の金属部材には、ボルトを保持するための彎曲部が形成されており、この彎曲部間にボルト２０の端部が狭持された状態で、ビスなどの部材を用いて両金属部材が固定されている。接続部材２１の上部には連結具２３を挿通するための連結孔が穿設されている。接続部材２１のボルト２０は、支柱１１に取り付けられた第二のナット１９に螺着されている。
【００２７】
クランプ部材２２の把持部は、一枚の板状金属部材の中央部付近が円筒形状に曲成されることで形成される。金属部材の両側部は夫々把持部の外周面から外方へ延出して、ブラケットが形成されている。ブラケットの中央部には連結具２３を挿通するための連結孔が穿設されている。
【００２８】
手摺棒１４は、中空の金属部材で形成された円筒部材で、階段１を昇降する際の持ち手となる部材である。手摺棒１４は、仮設手摺１０の設置時には、階段１の傾斜角と略平行になるように支柱１１の上端部に取り付けられる。
【００２９】
接続部材２１のブラケットは、クランプ部材２２のブラケットを構成する二枚の金属片で狭持されている。仮設手摺１０の設置時には、クランプ部材２２の円筒部分には手摺棒１４が挿通され、接続部材２１のブラケットに設けられた連結孔とクランプ部材２２のブラケットに設けられた連結孔には連結具２３であるビスが挿通され、ビスのネジ部に蝶ナットが螺着されることで、手摺棒１４は支柱１１の上端部に取り付けられている。ビスと蝶ナットを螺着することで、同時に手摺棒１４の外周面がクランプ部材の円筒部分の内面に圧接されるため、手摺棒１４はクランプ部材２２に固定される。ビスと蝶ナットとは、クランプ部材２２が接続部材２１に対してビスを軸として回動可能な状態に緩装されている。
【００３０】
次に、階段１について説明する。本実施形態における階段１は、地面に対して略水平方向に形成された上面２ａと略垂直方向に形成された蹴込板２ｂとが所定の回数連続した下地２と、下地２の上面２ａの所定箇所に固着された受け部材としてのナット部材３と、下地２の上面２ａに打設されたコンクリート層４と、下地２及びコンクリート層４の側面に当接して立設されるササラ桁５とを備えている。下地２は、鉄骨等の剛性部材で形成されている。蹴込板２ｂは、ナット部材３と略同じ高さだけ上面２ａの水平位置よりも上方に延出するように形成されている。コンクリート層４は本発明における踏板に該当する。
【００３１】
下地２の上面２ａの段鼻部には、ナット部材３としての高ナットが溶接により固着されている。ナット部材３には、ボルト部材１２と螺合可能な形状のボルト穴３ａが軸線方向に貫通して設けられており、ナット部材３の端面を下地２の上面２ａに溶接することで、上面２ａに固着されている。ナット部材３は、階段１の側面から所定の距離だけ内方の位置に夫々配設されている。
【００３２】
下地２の上面２ａには、ナット部材３の高さと略同じ厚さのコンクリート層４が打設されている。コンクリート層４は、下地２の上面２ａと、上面２ａの階下側および階上側で上面２ａを挟んで位置する二つの蹴込板２ｂと、階段１の両側面に設けられたササラ桁５とにより囲繞された領域に形成されている。コンクリート層４の上面は、階段１の踏面４ａとなる。コンクリート層４は、ナット部材３のボルト穴３ａが外部に露出するように形成されている。
【００３３】
図２に示すように、ナット部材３には、支柱１１の下端面に設けられたボルト部材１２が螺着される。この場合、階段１の踏面４ａに対して過大な加重が直接加わらないよう、支柱１１と踏面４ａとの間にわずかな隙間を形成してもよい。このように、本実施形態における仮設手摺の取付構造によれば、支柱の下端面にボルト部材が突出して設けられていると共に、階段の踏板にはナット部材３の上端３ｂが踏面４ａと面一になるように配設されている。そして、支柱１１のボルト部材１２と階段１のナット部材３とが螺合した状態で、仮設手摺１０の支柱１１が踏面４ａに立設して固定されている。支柱１１は階段１のナット部材３に支持された状態で踏面４ａに立設されているため、階段１の踏面４ａに対して支柱１１の過大な加重が加わらず、階段１に対して仮設手摺１０の加重による損傷を与えにくい。
【００３４】
続いて、本実施形態に係る仮設手摺１０を階段１に施工する方法について、図１乃至図４を参照して説明する。施工前において、仮設手摺１０は、支柱１１と、クランプ部材２２と、連結具２３と、手摺棒１４とに分解された状態にある。また、鉄骨階段としての下地２は、ササラ桁５が取り付けられた状態で鉄骨工場にて先組みされている。
【００３５】
まず、ササラ桁５を取り付けた下地２を建設作業現場に搬入して、所定の場所に設置する。続いて、下地２の上面２ａの所定位置にナット部材３を溶接により固着する。ナット部材３は、本実施形態のように現場で取り付ける場合に限らず、例えば鉄骨工場で先付けしておいてもよい。ナット部材３を下地２に溶接した後、仮設手摺１０の支柱１１をナット部材３に取り付ける。
【００３６】
支柱１１を取り付けるには、まず支柱１１を鉛直方向に起立した状態で、ボルト部材１２の先端部をナット部材３のボルト穴３ａの開口部に係合する。本工程は、本発明の第一工程に該当する。続いて、支柱１１を回転することにより、ボルト部材１２をナット部材３に螺着する。本工程は、本発明の第二工程に該当する。この際、支柱１１の下端面がナット部材３の上面と密着しないように、適当な距離だけ離間した状態で取り付けておく。このように、支柱１１とナット部材３とを適当に離間しているため、後述するようにコンクリート層表面の仕上げの際に作業を楽に行うことが可能となる。
【００３７】
本実施形態の仮設手摺１０は、支柱１１と手摺棒１４とに分離可能な構成となっており、これらの部材のうち、支柱１１を所定位置に起立して回転するという簡単な作業で、支柱１１を階段１に固定することが可能となる。従って、作業員が一人であっても施工することができ、支柱１１の設置にかかる労力を軽減することが可能となる。また、作業員が起立した姿勢で作業を行うことができるため、従来の仮設手摺の場合のように腰をかがめて取付作業を行う必要がない。従って、作業員にとって楽な姿勢で取付作業を行うことが可能となる。
【００３８】
以上の作業をすべての設置予定位置に対して行い、複数の支柱１１を所定位置に配設する。次に、手摺棒１４の取付作業を行う。まず、クランプ部材２２の円筒部分に手摺棒１４を挿通する。この状態で、クランプ部材２２のブラケットを構成する二枚の金属片で接続部材のブラケットを狭持する。このとき、接続部材２１のブラケットに設けられた連結孔と、クランプ部材のブラケットに設けられた連結孔とを一致させる。
【００３９】
続いて、両連結孔に連結具２３であるビスを挿通し、ビスのネジ部に蝶ナットを螺着する。これにより、接続部材２１とクランプ部材２２とが取り付けられる。ビスと蝶ナットを螺着することで、同時に手摺棒１４の外周面がクランプ部材２２の円筒部分の内面に圧接されるため、クランプ部材２２に固定された状態となる。ビスと蝶ナットとは、クランプ部材２２が接続部材２１に対してビスを軸として回動可能な状態に緩装する。
【００４０】
クランプ部材２２は接続部材２１に対してビスを中心軸として回動自在に取り付けられており、また、接続部材２１は支柱１１に対してボルト２０を中心に回動自在に設けられている。このため、手摺棒１４を隣接する支柱１１に固定する際に、クランプ部材２２及び接続部材２１を回動して手摺棒１４の位置を微調整することが可能となる。すべての支柱１１に手摺棒１４を架設することで、手摺棒１４の取付作業が終了する。
【００４１】
本実施形態では、更に、各支柱の中間位置付近に設けられた貫通孔にロープ２５を挿通し、支柱の外周を夫々巻着することで、支柱間をロープ２５で懸架した構成としている。手摺棒１４と踏面４ａとの間には空間が空いているため、このような構成とすることで、手摺棒１４と踏面４ａとの間から階下へ物が転落するのを防止することが可能となる。支柱間に懸架する部材としては、本実施形態のようなロープに限定されず、階下への転落を邪魔する部材であればどのようなものも採用できる。
【００４２】
続いて、下地２の夫々の段の上面２ａにナット部材３の高さと略同じ厚さのコンクリート層４を打設する。コンクリートは、下地２の上面２ａと、上面２ａの階下側および階上側において上面２ａを挟むように位置している二つの蹴込板２ｂと、階段１の両側面に設けられているササラ桁５とにより囲繞される領域に流入される。コンクリート流入の際は、ナット部材３がコンクリート層の上面より上方に突出しないように、コンクリートの厚さを調整して流入する。
【００４３】
コンクリートの流入後、鏝押えを行ってコンクリート層の表面処理を行う。この際、支柱１１とナット部材３とが適当な距離だけ離間しているため、支柱１１の下端部に位置するコンクリートを鏝で平らにならすことが可能となる。このように、本発明の仮設手摺の取付方法によれば、仮設手摺１０を設置した状態でコンクリートの打設を行うことができるため、作業員の安全を確保した状態で作業を行うことが可能となる。コンクリートを打設した後、コンクリートが硬化するまで養生が行われる。コンクリートが固化した後に、支柱１１を回転して支柱１１の下端面と階段１の踏面４ａとを密着させる。以上で、階段１への仮設手摺１０の設置作業が完了する。
【００４４】
次に、本実施形態の仮設手摺１０を階段１から取り外す方法について、図４を参照して説明する。まず、各支柱に取り付けられたクランプ部材２２の連結具２３を解除状態にして、クランプ部材２２及び手摺棒１４を接続部材２１から取り外す。続いて、支柱１１を取り付け時と反対方向に回転させてナット部材３から取り外す。この場合も、上述の設置時と同様に、作業員が単独で起立して取り外し作業を行うことができるため、作業にかかる労力を軽減することが可能となる。
【００４５】
支柱１１を階段１から取り外した後、階段１の踏面４ａに露見したナット部材３の上面を覆うように、踏面４ａの段鼻部に被覆部材を被覆する。本実施形態では、被覆部材として表面に滑り止め加工が施された被覆部材であるノンスリップ６を添着している。ノンスリップ６は、ゴムや合成樹脂等で形成された滑り止め用の部材であり、裏面に接着剤等が塗布して階段１に添着する。なお、表面の摩擦係数を高めて滑り止め効率を向上させるために、ノンスリップ６の表面に凹凸を形成したり、スウェード地としたりすることも可能である。
【００４６】
ノンスリップ６を踏面４ａの段鼻部に被覆することで、ナット部材３の上面やボルト穴３ａが外部に露見しなくなる。このため、開口４ｂをコンクリート等で閉塞するといった作業を行うことなく、簡単な作業でボルト穴を隠蔽することができる。従って、仮設手摺１０の解体にかかる労力を低減することができると共に、良好な外観を有する階段を提供することが可能となる。なお、本実施形態では、被覆部材としてノンスリップ６が使用されているが、階段に設けられた開口４ｂを被覆するものであればこれに限定されず、例えば装飾用の化粧材等であってもよい。
【００４７】
本実施形態では、ナット部材３の上端がコンクリート層４の踏面４ａと面一に形成されているため、コンクリート層４の踏面４ａにナット部材３が突出していない。すなわち、ノンスリップ６を貼着する踏面４ａにナット部材３が突出していない。このため、ノンスリップ６を踏面４ａに密着した状態で貼着することができる。従って、ノンスリップ６を平坦に仕上げることが可能となる。
【００４８】
階段１においてナット部材３は、本実施形態のようなコンクリート層４に埋設されるものに限定されず、例えば図５に示されるように、下地２の底面２ｃに溶接等により固着されていてもよい。この場合、ナット部材３のボルト穴３ａが踏面４ａに連通するように下地２及びコンクリート層４に開口４ｂを穿設する必要がある。開口４ｂは、ボルト穴３ａの軸線方向と一致するように設けられ、ボルト部材１２が略垂直にボルト穴３ａに螺合するように形成される。
【００４９】
上記２つの実施形態では、いずれも支柱１１の下端面にボルト部材１２を設け、階段１にナット部材３を配設し、両部材を螺合することで支柱１１を階段１に固定しているが、取付部材及び受け部材としてはボルト部材１２及びナット部材３に限定されるものでない。例えば、取付部材としてネジ溝が形成されていない棒状部材を、受け部材としてこの棒状部材を収納可能なパイプ部材を採用し、支柱１１を階段１に取り付ける際には、この棒状部材をパイプ部材に挿入する構成とすることもできる。
【００５０】
また、取付部材としてビス等の他の部材を採用することも可能である。この場合、ボルト部材１２を用いた場合と同様に、支柱１１に上方向の力が加わっても、ビスのネジ溝とナットのネジ溝が係合するため脱落しにくい。従って、強固な取付構造を有する仮設手摺を提供することが可能となる。
【図面の簡単な説明】
【００５１】
【図１】本発明の一実施形態に係る仮設手摺の取付構造を示した説明図である。
【図２】図１の矢印Ａ領域の拡大断面図である。
【図３】仮設手摺の取付構造を拡大して示した拡大断面図である。
【図４】仮設手摺を取り外して後処理を行った後の状態を示した説明図である。
【図５】本発明の他の実施形態に係る仮設手摺の取付構造を拡大して示した説明図である。
【図６】従来の仮設手摺の取付構造を示した説明図である。
【符号の説明】
【００５２】
１    階段
２    下地
２ａ    上面
２ｂ    蹴込板
２ｃ    底面
３    ナット部材（受け部材）
３ａ    ボルト穴
３ｂ    上端
４    コンクリート層（踏板）
４ａ    踏面
４ｂ    開口
５    ササラ桁
６    ノンスリップ（被覆部材）
１０    仮設手摺
１１    支柱
１２    ボルト部材（取付部材）
１３    連結部材
１４    手摺棒
１５    パイプ
１６    第一の蓋体
１７    第二の蓋体
１８    第一のナット
１９    第二のナット
２０    ボルト
２１    接続部材
２２    クランプ部材
２３    連結具
２５    ロープ
３０    階段
３１    ササラ桁
４０ａ    支柱
４０    手摺
４１    クランプ
【図１】
2006097308.tif 000003
【図２】
2006097308.tif 000004
【図３】
2006097308.tif 000005
【図４】
2006097308.tif 000006
【図５】
2006097308.tif 000007
【図６】
2006097308.tif 000008